【手続補正書】
【提出日】平成19年2月2日(2007.2.2)
【手続補正１】
【補正対象書類名】明細書
【補正対象項目名】特許請求の範囲
【補正方法】変更
【補正の内容】
【特許請求の範囲】
【請求項１】  インタレース走査方式に基づく映像信号における１フレームを構成する第１および第２フィールドの画像データを用いて静止画像を生成する際に生じるノイズを除去するための画像処理方法であって、
前記第１および第２フィールドの一方のフィールドの画像データを構成する所定の単位である単位画像データのそれぞれに順次注目し、注目単位画像データの表す画像部分である注目画像に動きがあるために前記ノイズが生じるか否かを判定する判定ステップと、
前記１フレームの画像のうち前記注目画像の近傍に位置する画像部分を表す画像データを用いて、前記注目画像を表す新たな単位画像データを生成する生成ステップと、
前記判定ステップで前記注目画像に動きがあるために前記ノイズが生じると判定された場合に、前記注目単位画像データを前記新たな単位画像データに置き換える置き換えステップと、
を備えることを特徴とする画像処理方法。
【請求項２】  前記判定ステップは、前記１フレームの画像のうち前記注目画像の近傍に位置する画像部分を表す複数の単位画像データを判定データとして使用し、該判定データの表す画像部分である判定画像の状態を抽出する状態抽出ステップを含み、
前記判定ステップでは、前記判定画像の状態に基づき、前記注目画像に動きがあるために前記ノイズが生じるか否かを判定することを特徴とする、請求項１に記載の画像処理方法。
【請求項３】  前記状態抽出ステップでは、前記１フレームの画像のうち前記注目画像の近傍に位置し垂直方向に隣接する画像部分を表す複数の単位画像データを前記判定データとして使用し、前記判定画像の垂直方向の空間的変化の状態を前記判定画像の状態として抽出することを特徴とする、請求項２に記載の画像処理方法。
【請求項４】  前記状態抽出ステップでは、前記判定画像の色情報を用いて前記判定画像の状態を抽出することを特徴とする、請求項２に記載の画像処理方法。
【請求項５】  前記状態抽出ステップでは、前記判定画像のコンポーネント信号を用いて前記判定画像の状態を抽出することを特徴とする、請求項２に記載の画像処理方法。
【請求項６】  前記第１および第２フィールドのうちいずれのフィールドの単位画像データに順次注目するかを指定する指定ステップを更に備えることを特徴とする、請求項１ないし５のいずれか１項に記載の画像処理方法。
【請求項７】  インタレース走査方式に基づく映像信号における１フレームを構成する第１および第２フィールドの画像データを用いて静止画像を生成する際に生じるノイズを除去するための画像処理装置であって、
前記１フレームを構成する第１および第２フィールドの画像データを記憶するメモリと、
前記第１および第２フィールドの一方のフィールドの画像データを構成する所定の単位である単位画像データのそれぞれに順次注目し、注目単位画像データの表す画像部分である注目画像に動きがあるために前記ノイズが生じるか否かを判定する判定手段と、
前記１フレームの画像のうち前記注目画像の近傍に位置する画像部分を表す画像データを用いて、前記注目画像を表す新たな単位画像データを生成するデータ生成手段と、
前記注目画像に動きがあるために前記ノイズが生じると前記判定手段により判定された場合に、前記メモリに記憶された画像データのうち前記注目単位画像データを前記新たな単位画像データに書き換える書き換え手段と、
を備えることを特徴とする画像処理装置。
【請求項８】  前記判定手段は、
前記１フレームの画像のうち前記注目画像の近傍に位置する画像部分を表す複数の単位画像データを判定データとして使用し、該判定データの表す画像部分である判定画像の状態を抽出する状態抽出手段を含み、
前記判定画像の状態に基づき、前記注目画像に動きがあるために前記ノイズが生じるか否かを判定することを特徴とする、請求項７に記載の画像処理装置。
【請求項９】  前記状態抽出手段は、前記１フレームの画像のうち前記注目画像の近傍に位置し垂直方向に隣接する画像部分を表す複数の単位画像データを前記判定データとして使用し、前記判定画像の垂直方向の空間的変化の状態を前記判定画像の状態として抽出することを特徴とする、請求項８に記載の画像処理装置。
【請求項１０】  前記状態抽出手段は、前記判定画像の色情報を用いて前記判定画像の状態を抽出することを特徴とする、請求項８に記載の画像処理装置。
【請求項１１】  前記状態抽出手段は、前記判定画像のコンポーネント信号を用いて前記判定画像の状態を抽出することを特徴とする、請求項８に記載の画像処理装置。
【請求項１２】  前記第１および第２フィールドのうちいずれのフィールドの単位画像データに順次注目するかを指定するための入力操作手段を更に備えることを特徴とする、請求項７ないし１１のいずれか１項に記載の画像処理装置。
【請求項１３】  インタレース走査方式に基づく映像信号における１フレームを構成する第１および第２フィールドの画像データを用いて静止画像を生成する際に生じるノイズを除去するための画像処理プログラムを、コンピュータ装置において実行されるプログラムとして記録した記録媒体であって、
前記第１および第２フィールドの一方のフィールドの画像データを構成する所定の単位である単位画像データのそれぞれに順次注目し、注目単位画像データの表す画像部分である注目画像に動きがあるために前記ノイズが生じるか否かを判定する判定ステップと、
前記１フレームの画像のうち前記注目画像の近傍に位置する画像部分を表す画像データを用いて、前記注目画像を表す新たな単位画像データを生成する生成ステップと、
前記判定ステップで前記注目画像に動きがあるために前記ノイズが生じると判定された場合に、前記注目単位画像データを前記新たな単位画像データに置き換える置き換えステップと、
を含む動作環境を前記コンピュータ装置上で実現するための画像処理プログラムを記録した記録媒体。
【請求項１４】  前記判定ステップは、前記１フレームの画像のうち前記注目画像の近傍に位置する画像部分を表す複数の単位画像データを判定データとして使用し、該判定データの表す画像部分である判定画像の状態を抽出する状態抽出ステップを含み、
前記判定ステップでは、前記判定画像の状態に基づき、前記注目画像に動きがあるために前記ノイズが生じるか否かを判定することを特徴とする、請求項１３に記載の記録媒体。
【請求項１５】  前記状態抽出ステップにおいて、注目画像を中心として垂直方向に並んでいる５つの単位画像データを判定データとして使用し、
前記判定ステップでは、隣接単位画像間の値の変化パターンが、上から下へ向かう方向に、増加、減少、増加、減少または減少、増加、減少、増加となる場合に、注目画像に動きがあるためにノイズが生じると判定する請求項３に記載の画像処理方法。
【請求項１６】  前記状態抽出ステップにおいて、注目画素Ｐ３を中心として垂直方向に位置する画素Ｐ１，Ｐ２，Ｐ４，Ｐ５それぞれの色情報であるＲの値、Ｇの値、Ｂの値を判定画像データとし、
Ｐ１のＲの値をＰ１ｒ，Ｇの値をＰ１ｇ，Ｂの値をＰ１ｂ、
Ｐ２のＲの値をＰ２ｒ，Ｇの値をＰ２ｇ，Ｂの値をＰ２ｂ、
Ｐ３のＲの値をＰ３ｒ，Ｇの値をＰ３ｇ，Ｂの値をＰ３ｂ、
Ｐ４のＲの値をＰ４ｒ，Ｇの値をＰ４ｇ，Ｂの値をＰ４ｂ、
Ｐ５のＲの値をＰ５ｒ，Ｇの値をＰ５ｇ，Ｂの値をＰ５ｂとし、
Ｆ（ａ，ｂ，ｃ，ｄ，ｅ，ｆ）＝（ａ＋ｂ＋ｃ）−（ｄ＋ｅ＋ｆ）で定義される関数Ｆ（ａ，ｂ，ｃ，ｄ，ｅ）を用い、
Ｄ１＝Ｆ（Ｐ１ｒ，Ｐ１ｇ，Ｐ１ｂ，Ｐ２ｒ，Ｐ２ｇ，Ｐ２ｂ）、
Ｄ２＝Ｆ（Ｐ３ｒ，Ｐ３ｇ，Ｐ３ｂ，Ｐ２ｒ，Ｐ２ｇ，Ｐ２ｂ）、
Ｄ３＝Ｆ（Ｐ３ｒ，Ｐ３ｇ，Ｐ３ｂ，Ｐ４ｒ，Ｐ４ｇ，Ｐ４ｂ）、
Ｄ４＝Ｆ（Ｐ５ｒ，Ｐ５ｇ，Ｐ５ｂ，Ｐ４ｒ，Ｐ４ｇ，Ｐ４ｂ）により算出されたＤ１〜Ｄ４が、Ｄ２×Ｄ３≧０かつＤ３×Ｄ４≧０かつＤ１×Ｄ２≧０という条件を満たす場合に、
前記判定ステップは、注目画像に動きがあるためにノイズが生じると判定する請求項３に記載の画像処理方法。
【請求項１７】  前記状態抽出ステップでは、前記１フレームの画像のうち前記注目画像の近傍に位置し垂直方向に隣接する画像部分を表す複数の単位画像データを前記判定データとして使用し、前記判定画像の垂直方向の空間的変化量の変化状態を前記判定画像の状態として抽出することを特徴とする、請求項２に記載の画像処理方法。
【請求項１８】  前記状態抽出ステップにおいて、注目画像を中心として垂直方向に並んでいる５つの単位画像データを判定データとして使用し、
前記判定ステップでは、隣接単位画像間の値の変化量の変化パターンが、上から下へ向かう方向に、減少、増加、減少または増加、減少、増加となる場合に、注目画像に動きがあるためにノイズが生じると判定する請求項１７に記載の画像処理方法。